(57)【特許請求の範囲】
【請求項１】
画像処理装置であって、
第１の表示手段を有するとともに、前記第１の表示手段に表示された操作ボタンを用いて前記画像処理装置に関する操作入力を受け付ける操作手段と、
第２の表示手段を有する携帯端末との間で、各種データを送受信する通信手段と、
前記操作手段によって前記第１の表示手段における特定情報の拡大表示指示が受け付けられると、前記第１の表示手段における前記特定情報の表示領域を拡大するとともに、前記第１の表示手段における操作ボタンの表示数を低減する表示制御手段と、
を備え、
前記通信手段は、前記拡大表示指示が受け付けられると、前記画像処理装置に関する操作ボタンを前記第２の表示手段に表示させるための情報である操作ボタン情報を、前記携帯端末に送信して、前記拡大表示指示後の前記第１の表示手段には表示されていない操作ボタンを含む操作ボタン群を前記第２の表示手段に表示させることを特徴とする画像処理装置。
【請求項２】
請求項１に記載の画像処理装置において、
前記特定情報の拡大表示指示は、プレビュー画像の拡大表示指示を含み、
前記表示制御手段は、前記第１の表示手段における前記プレビュー画像の拡大表示指示が受け付けられると、前記第１の表示手段における前記プレビュー画像の表示領域を拡大するとともに、前記第１の表示手段における操作ボタンの表示数を低減することを特徴とする画像処理装置。
【請求項３】
請求項２に記載の画像処理装置において、
前記特定情報は、前記携帯端末内に格納されたデータに関するプレビュー画像を含むことを特徴とする画像処理装置。
【請求項４】
請求項２に記載の画像処理装置において、
前記特定情報は、前記画像処理装置内に格納されたデータに関するプレビュー画像を含むことを特徴とする画像処理装置。
【請求項５】
請求項１に記載の画像処理装置において、
前記特定情報の拡大表示指示は、前記画像処理装置に関する操作メニュー画面内の複数の操作ボタンのうちの一部の操作ボタンを選択的に拡大表示した簡易メニュー画面を表示する指示を含み、
前記表示制御手段は、前記第１の表示手段における前記簡易メニュー画面の表示指示が受け付けられると、前記第１の表示手段における前記一部の操作ボタンの表示領域を拡大するとともに、前記第１の表示手段における操作ボタンの表示数を低減することを特徴とする画像処理装置。
【請求項６】
請求項１に記載の画像処理装置において、
前記操作ボタン情報は、前記画像処理装置と前記携帯端末との通信接続状態を解除するための接続解除ボタンの情報を含み、
前記表示制御手段は、前記特定情報の拡大表示指示に応じて、前記接続解除ボタンをも含む前記操作ボタン群を前記第２の表示手段に表示させることを特徴とする画像処理装置。
【請求項７】
請求項１に記載の画像処理装置において、
前記表示制御手段は、前記拡大表示指示が受け付けられると、前記第１の表示手段における前記特定情報の表示領域を拡大するとともに、前記第１の表示手段には操作ボタンを表示せず、
前記通信手段は、前記拡大表示指示が受け付けられると、前記操作ボタン情報を前記携帯端末に送信し、前記拡大表示指示前に前記第１の表示手段に表示されていた少なくとも１つの操作ボタンを含む前記操作ボタン群を、前記第２の表示手段に表示させることを特徴とする画像処理装置。
【請求項８】
請求項１に記載の画像処理装置において、
前記表示制御手段は、前記拡大表示指示が受け付けられると、前記第１の表示手段における前記特定情報の表示領域を拡大するとともに、前記第１の表示手段において低減された数の操作ボタンを表示し、
前記通信手段は、前記拡大表示指示が受け付けられると、前記操作ボタン情報を前記携帯端末に送信し、前記拡大表示指示後の前記第１の表示手段に表示されていない操作ボタンを含む前記操作ボタン群を、前記第２の表示手段に表示させることを特徴とする画像処理装置。
【請求項９】
請求項１に記載の画像処理装置において、
前記通信手段は、前記拡大表示指示が受け付けられると、前記画像処理装置に関する複数の操作ボタンを含む前記操作ボタン群を前記第２の表示手段に集約して表示させることを特徴とする画像処理装置。
【請求項１０】
請求項９に記載の画像処理装置において、
前記操作ボタン群は、前記拡大表示指示後の前記第１の表示手段にも表示されている操作ボタンと前記拡大表示指示後の前記第１の表示手段には表示されていない操作ボタンとの双方を含むことを特徴とする画像処理装置。
【請求項１１】
請求項９に記載の画像処理装置において、
前記表示制御手段は、前記拡大表示指示が受け付けられると、前記拡大表示指示後の前記第１の表示手段には操作ボタンを表示せず、
前記通信手段は、前記拡大表示指示が受け付けられると、前記操作ボタン情報を前記携帯端末に送信し、前記画像処理装置に関する前記複数の操作ボタンを含む前記操作ボタン群を、前記第２の表示手段に集約して表示させることを特徴とする画像処理装置。
【請求項１２】
請求項１に記載の画像処理装置において、
前記操作手段は、無線通信の通信範囲内に存在することが通信手段によって検出された複数の携帯端末の中から接続対象の携帯端末を選択する選択操作を受け付け、
前記通信手段は、前記選択操作によって選択された前記接続対象の携帯端末との通信接続を確立することを特徴とする画像処理装置。
【請求項１３】
請求項１に記載の画像処理装置において、
前記通信手段は、無線通信の通信範囲内に存在する複数の携帯端末を検出し、検出された複数の携帯端末の中から最も近い位置に存在する携帯端末を接続対象の携帯端末として決定し、前記接続対象の携帯端末との通信接続を確立することを特徴とする画像処理装置。
【請求項１４】
請求項１に記載の画像処理装置において、
前記表示制御手段は、接続対象の携帯端末が無線通信の通信範囲内に存在しなくなったことが前記通信手段により検出されると、前記第１の表示手段における表示内容を前記拡大表示指示時点での表示内容に復帰させることを特徴とする画像処理装置。
【請求項１５】
請求項１に記載の画像処理装置において、
前記通信手段は、前記拡大表示指示が受け付けられると、前記携帯端末との通信接続を確立して前記操作ボタン情報を前記携帯端末に送信することを特徴とする画像処理装置。
【請求項１６】
請求項１５に記載の画像処理装置において、
前記通信手段は、前記拡大表示指示前の表示画面への復帰指示を前記携帯端末から受信すると、前記携帯端末との通信接続を解除することを特徴とする画像処理装置。
【請求項１７】
請求項１に記載の画像処理装置において、
前記通信手段は、前記拡大表示指示前に前記第１の表示手段に表示されていた第１の表示画面から前記拡大表示指示後に前記第１の表示手段に表示される第２の表示画面への拡大表示指示時点において前記携帯端末との通信接続が既に確立されている場合には、前記第２の表示画面から前記第１の表示画面への復帰指示が受け付けられたときであっても、前記携帯端末との通信接続を解除することなく当該通信接続を維持することを特徴とする画像処理装置。
【請求項１８】
画像処理システムであって、
画像処理装置と、
前記画像処理装置と通信可能な携帯端末と、
を備え、
前記画像処理装置は、
第１の表示手段を有するとともに、前記第１の表示手段に表示された操作ボタンを用いて操作入力を受け付ける第１の操作手段と、
前記第１の操作手段によって前記第１の表示手段における特定情報の拡大表示指示が受け付けられると、前記第１の表示手段における前記特定情報の表示領域を拡大するとともに、前記第１の表示手段における操作ボタンの表示数を低減する第１の表示制御手段と、
前記携帯端末に対してデータを送信する第１の通信手段と、
を有し、
前記携帯端末は、
第２の表示手段と、
前記拡大表示指示が受け付けられると、前記画像処理装置に関する操作ボタンを前記第２の表示手段に表示させるための情報である操作ボタン情報を、前記画像処理装置から受信する第２の通信手段と、
前記拡大表示指示後の前記第１の表示手段には表示されていない操作ボタンを含む操作ボタン群を、前記操作ボタン情報に基づいて前記第２の表示手段に表示させる第２の表示制御手段と、
を有することを特徴とする画像処理システム。
【請求項１９】
第１の表示手段を有する操作手段であって前記第１の表示手段に表示された操作ボタンを用いて操作入力を受け付ける操作手段を備える画像処理装置に内蔵されたコンピュータに、
ａ）前記操作手段によって前記第１の表示手段における特定情報の拡大表示指示が受け付けられると、前記第１の表示手段における前記特定情報の表示領域を拡大するとともに、前記第１の表示手段における操作ボタンの表示数を低減するステップと、
ｂ）前記拡大表示指示が受け付けられると、第２の表示手段を有する携帯端末に、前記画像処理装置に関する操作ボタンを前記第２の表示手段に表示させるための情報である操作ボタン情報を送信して、前記拡大表示指示後の前記第１の表示手段には表示されていない操作ボタンを含む操作ボタン群を前記第２の表示手段に表示させるステップと、
を実行させるためのプログラム。
【発明の詳細な説明】
【技術分野】
【０００１】
本発明は、ＭＦＰ（マルチ・ファンクション・ペリフェラル（Multi-Functional Peripheral））などの画像処理装置およびそれに関連する技術に関する。
【背景技術】
【０００２】
ＭＦＰなどの画像処理装置においては、タッチスクリーン（タッチパネル）を有する操作パネル（操作手段）が設けられ、当該操作パネルを用いて操作入力が行われる。詳細には、当該操作パネル内の表示部に表示された操作ボタンを用いて各種の操作入力が受け付けられる（特許文献１等参照）。
【０００３】
また、特許文献１においては、このような操作パネル内に印刷対象画像のプレビュー画像を表示する表示領域を設けることが記載されている。
【先行技術文献】
【特許文献】
【０００４】
【特許文献１】特開２０１０−３４８４４号公報
【発明の概要】
【発明が解決しようとする課題】
【０００５】
ところで、上記のような操作パネルにおいて特定情報の表示領域を拡大して表示させたいという要望が存在する。たとえば、操作パネル内におけるプレビュー画像の表示領域自体を拡大すること（操作パネル内における当該プレビュー画像表示領域の占有割合を増大すること）が望まれる。
【０００６】
しかしながら、操作パネル内のプレビュー画像（特定情報とも表現される）の表示領域が拡大されると、逆に、操作パネル内における、プレビュー画像の表示領域以外の領域（操作パネル内のボタン表示領域等）が縮小する。そのため、拡大表示時においては、プレビュー画像の周囲に配置可能な操作ボタン数が低減され、本来表示したい比較的多数の操作ボタンは操作パネル内には表示しきれなくなる。その結果、操作ボタンの表示数が低減され、低減された数の操作ボタンのみを用いて操作することを余儀なくされるという問題が発生する。
【０００７】
また、このような問題は、プレビュー画像の表示領域を拡大する際のみならず、その他の情報の表示領域を拡大する際においても発生し得る。
【０００８】
そこで、この発明は、特定情報の表示領域を拡大するに際して操作性の低下を抑制することが可能な画像処理装置およびそれに関連する技術を提供することを課題とする。
【課題を解決するための手段】
【０００９】
上記課題を解決すべく、請求項１の発明は、画像処理装置であって、第１の表示手段を有するとともに、前記第１の表示手段に表示された操作ボタンを用いて前記画像処理装置に関する操作入力を受け付ける操作手段と、第２の表示手段を有する携帯端末との間で、各種データを送受信する通信手段と、前記操作手段によって前記第１の表示手段における特定情報の拡大表示指示が受け付けられると、前記第１の表示手段における前記特定情報の表示領域を拡大するとともに、前記第１の表示手段における操作ボタンの表示数を低減する表示制御手段と、を備え、前記通信手段は、前記拡大表示指示が受け付けられると、前記画像処理装置に関する操作ボタンを前記第２の表示手段に表示させるための情報である操作ボタン情報を、前記携帯端末に送信して、前記拡大表示指示後の前記第１の表示手段には表示されていない操作ボタンを含む操作ボタン群を前記第２の表示手段に表示させることを特徴とする。
【００１０】
請求項２の発明は、請求項１の発明に係る画像処理装置において、前記特定情報の拡大表示指示は、プレビュー画像の拡大表示指示を含み、前記表示制御手段は、前記第１の表示手段における前記プレビュー画像の拡大表示指示が受け付けられると、前記第１の表示手段における前記プレビュー画像の表示領域を拡大するとともに、前記第１の表示手段における操作ボタンの表示数を低減することを特徴とする。
【００１１】
請求項３の発明は、請求項２の発明に係る画像処理装置において、前記特定情報は、前記携帯端末内に格納されたデータに関するプレビュー画像を含むことを特徴とする。
【００１２】
請求項４の発明は、請求項２の発明に係る画像処理装置において、前記特定情報は、前記画像処理装置内に格納されたデータに関するプレビュー画像を含むことを特徴とする。
【００１３】
請求項５の発明は、請求項１の発明に係る画像処理装置において、前記特定情報の拡大表示指示は、前記画像処理装置に関する操作メニュー画面内の複数の操作ボタンのうちの一部の操作ボタンを選択的に拡大表示した簡易メニュー画面を表示する指示を含み、前記表示制御手段は、前記第１の表示手段における前記簡易メニュー画面の表示指示が受け付けられると、前記第１の表示手段における前記一部の操作ボタンの表示領域を拡大するとともに、前記第１の表示手段における操作ボタンの表示数を低減することを特徴とする。
【００１４】
請求項６の発明は、請求項１の発明に係る画像処理装置において、前記操作ボタン情報は、前記画像処理装置と前記携帯端末との通信接続状態を解除するための接続解除ボタンの情報を含み、前記表示制御手段は、前記特定情報の拡大表示指示に応じて、前記接続解除ボタンをも含む前記操作ボタン群を前記第２の表示手段に表示させることを特徴とする。
【００１５】
請求項７の発明は、請求項１の発明に係る画像処理装置において、前記表示制御手段は、前記拡大表示指示が受け付けられると、前記第１の表示手段における前記特定情報の表示領域を拡大するとともに、前記第１の表示手段には操作ボタンを表示せず、前記通信手段は、前記拡大表示指示が受け付けられると、前記操作ボタン情報を前記携帯端末に送信し、前記拡大表示指示前に前記第１の表示手段に表示されていた少なくとも１つの操作ボタンを含む前記操作ボタン群を、前記第２の表示手段に表示させることを特徴とする。
【００１６】
請求項８の発明は、請求項１の発明に係る画像処理装置において、前記表示制御手段は、前記拡大表示指示が受け付けられると、前記第１の表示手段における前記特定情報の表示領域を拡大するとともに、前記第１の表示手段において低減された数の操作ボタンを表示し、前記通信手段は、前記拡大表示指示が受け付けられると、前記操作ボタン情報を前記携帯端末に送信し、前記拡大表示指示後の前記第１の表示手段に表示されていない操作ボタンを含む前記操作ボタン群を、前記第２の表示手段に表示させることを特徴とする。
【００１７】
請求項９の発明は、請求項１の発明に係る画像処理装置において、前記通信手段は、前記拡大表示指示が受け付けられると、前記画像処理装置に関する複数の操作ボタンを含む前記操作ボタン群を前記第２の表示手段に集約して表示させることを特徴とする。
【００１８】
請求項１０の発明は、請求項９の発明に係る画像処理装置において、前記操作ボタン群は、前記拡大表示指示後の前記第１の表示手段にも表示されている操作ボタンと前記拡大表示指示後の前記第１の表示手段には表示されていない操作ボタンとの双方を含むことを特徴とする。
【００１９】
請求項１１の発明は、請求項９の発明に係る画像処理装置において、前記表示制御手段は、前記拡大表示指示が受け付けられると、前記拡大表示指示後の前記第１の表示手段には操作ボタンを表示せず、前記通信手段は、前記拡大表示指示が受け付けられると、前記操作ボタン情報を前記携帯端末に送信し、前記画像処理装置に関する前記複数の操作ボタンを含む前記操作ボタン群を、前記第２の表示手段に集約して表示させることを特徴とする。
【００２０】
請求項１２の発明は、請求項１の発明に係る画像処理装置において、前記操作手段は、無線通信の通信範囲内に存在することが通信手段によって検出された複数の携帯端末の中から接続対象の携帯端末を選択する選択操作を受け付け、前記通信手段は、前記選択操作によって選択された前記接続対象の携帯端末との通信接続を確立することを特徴とする。
【００２１】
請求項１３の発明は、請求項１の発明に係る画像処理装置において、前記通信手段は、無線通信の通信範囲内に存在する複数の携帯端末を検出し、検出された複数の携帯端末の中から最も近い位置に存在する携帯端末を接続対象の携帯端末として決定し、前記接続対象の携帯端末との通信接続を確立することを特徴とする。
【００２２】
請求項１４の発明は、請求項１の発明に係る画像処理装置において、前記表示制御手段は、接続対象の携帯端末が無線通信の通信範囲内に存在しなくなったことが前記通信手段により検出されると、前記第１の表示手段における表示内容を前記拡大表示指示時点での表示内容に復帰させることを特徴とする。
【００２３】
請求項１５の発明は、請求項１の発明に係る画像処理装置において、前記通信手段は、前記拡大表示指示が受け付けられると、前記携帯端末との通信接続を確立して前記操作ボタン情報を前記携帯端末に送信することを特徴とする。
【００２４】
請求項１６の発明は、請求項１５の発明に係る画像処理装置において、前記通信手段は、前記拡大表示指示前の表示画面への復帰指示を前記携帯端末から受信すると、前記携帯端末との通信接続を解除することを特徴とする。
【００２５】
請求項１７の発明は、請求項１の発明に係る画像処理装置において、前記通信手段は、前記拡大表示指示前に前記第１の表示手段に表示されていた第１の表示画面から前記拡大表示指示後に前記第１の表示手段に表示される第２の表示画面への拡大表示指示時点において前記携帯端末との通信接続が既に確立されている場合には、前記第２の表示画面から前記第１の表示画面への復帰指示が受け付けられたときであっても、前記携帯端末との通信接続を解除することなく当該通信接続を維持することを特徴とする。
【００２６】
請求項１８の発明は、画像処理システムであって、画像処理装置と、前記画像処理装置と通信可能な携帯端末と、を備え、前記画像処理装置は、第１の表示手段を有するとともに、前記第１の表示手段に表示された操作ボタンを用いて操作入力を受け付ける第１の操作手段と、前記第１の操作手段によって前記第１の表示手段における特定情報の拡大表示指示が受け付けられると、前記第１の表示手段における前記特定情報の表示領域を拡大するとともに、前記第１の表示手段における操作ボタンの表示数を低減する第１の表示制御手段と、前記携帯端末に対してデータを送信する第１の通信手段と、を有し、前記携帯端末は、第２の表示手段と、前記拡大表示指示が受け付けられると、前記画像処理装置に関する操作ボタンを前記第２の表示手段に表示させるための情報である操作ボタン情報を、前記画像処理装置から受信する第２の通信手段と、前記拡大表示指示後の前記第１の表示手段には表示されていない操作ボタンを含む操作ボタン群を、前記操作ボタン情報に基づいて前記第２の表示手段に表示させる第２の表示制御手段と、を有することを特徴とする。
請求項１９の発明は、第１の表示手段を有する操作手段であって前記第１の表示手段に表示された操作ボタンを用いて操作入力を受け付ける操作手段を備える画像処理装置に内蔵されたコンピュータに、ａ）前記操作手段によって前記第１の表示手段における特定情報の拡大表示指示が受け付けられると、前記第１の表示手段における前記特定情報の表示領域を拡大するとともに、前記第１の表示手段における操作ボタンの表示数を低減するステップと、ｂ）前記拡大表示指示が受け付けられると、第２の表示手段を有する携帯端末に、前記画像処理装置に関する操作ボタンを前記第２の表示手段に表示させるための情報である操作ボタン情報を送信して、前記拡大表示指示後の前記第１の表示手段には表示されていない操作ボタンを含む操作ボタン群を前記第２の表示手段に表示させるステップと、を実行させるためのプログラムであることを特徴とする。
【発明の効果】
【００２７】
請求項１ないし請求項１９に記載の発明によれば、第１の表示手段における特定情報の表示領域の拡大に伴って操作ボタンの表示数が低減しても、第１の表示手段に表示されていない操作ボタンを含む操作ボタン群が第２の表示手段に表示される。したがって、第２の表示手段に表示された操作ボタンを用いて画像処理装置に関する操作を行うことが可能である。すなわち、特定情報の表示領域を拡大するに際して、操作性の低下を抑制することが可能である。
【００２８】
特に、請求項１３に記載の発明によれば、無線通信の通信範囲内に存在する複数の携帯端末のうち最も近い位置に存在する携帯端末との通信接続が自動的に確立されるので、高い操作性を得ることができる。
【００２９】
また特に、請求項１４に記載の発明によれば、接続対象の携帯端末が無線通信の通信範囲内に存在しなくなったときには、第１の表示手段における表示内容が拡大表示指示時点での表示内容に自動的に復帰する。したがって、高い操作性を得ることができる。
【００３０】
また特に、請求項１６に記載の発明によれば、拡大表示指示前の表示画面への復帰指示が受信されると、操作者の特別の接続解除動作を要することなく、携帯端末との通信接続が自動的に解除されるので、高い操作性を得ることが可能である。
【００３１】
また特に、請求項１７に記載の発明によれば、拡大表示指示時点で既に確立していた通信接続がむやみに解除されないので、有用である。
【図面の簡単な説明】
【００３２】
【図１】第１実施形態に係る画像処理システムを示す図である。
【図２】画像処理装置の機能ブロック図である。
【図３】携帯端末の機能ブロック図である。
【図４】画像処理装置の動作を示すフローチャートである。
【図５】画像処理装置の動作を示すフローチャートである。
【図６】携帯端末の動作を示すフローチャートである。
【図７】画像処理装置のタッチパネルにおけるメインメニュー画面を示す図である。
【図８】ボックス操作におけるファイルリスト画面を示す図である。
【図９】拡大前の操作画面を示す図である。
【図１０】近傍に存在する携帯端末のリストを示す図である。
【図１１】外部端末内のファイルが列挙されたリスト画面を示す図である。
【図１２】拡大前の操作画面を示す図である。
【図１３】拡大表示画面を示す図である。
【図１４】携帯端末のタッチパネルを示す図である。
【図１５】変形例に係る携帯端末の表示例を示す図である。
【図１６】別の変形例に係る携帯端末の表示画面を示す図である。
【図１７】第２実施形態に係る拡大操作前の表示画面を示す図である。
【図１８】第２実施形態に係る拡大操作後の表示画面（ＭＦＰ側）を示す図である。
【図１９】第２実施形態に係る拡大操作後の表示画面（携帯端末側）を示す図である。
【図２０】第２実施形態における拡大表示指示後の操作状態を示す図である。
【図２１】第２実施形態の変形例に係る拡大操作後の表示画面（ＭＦＰ側）を示す図である。
【図２２】第３実施形態に係る拡大操作前の表示画面（通常メニュー画面）を示す図である。
【図２３】第３実施形態に係る拡大操作後の表示画面（簡易メニュー画面）を示す図である。
【図２４】第３実施形態に係る拡大操作後の表示画面（携帯端末側）を示す図である。
【発明を実施するための形態】
【００３３】
以下、本発明の実施形態を図面に基づいて説明する。
【００３４】
＜１．第１実施形態＞
＜１−１．構成概要＞
図１は、第１実施形態に係る画像処理システム１（１Ａとも称する）を示す図である。図１に示すように、画像処理システム１Ａは、画像処理装置１０（１０Ａとも称する）と携帯端末５０とを備える。
【００３５】
画像処理装置１０と携帯端末５０とは、ネットワークＮＷを介して互いに接続される。ネットワークＮＷは、ＬＡＮ（Local Area Network）およびインターネットなどによって構成される。たとえば、画像処理装置１０と携帯端末５０とはネットワークＮＷ（無線ＬＡＮ等を含む）を介して無線接続される。なお、これに限定されず、画像処理装置１０と携帯端末５０とは、近距離通信（たとえば、ブルートゥース（Bluetooth（登録商標）））等によって互いに接続されるようにしてもよい。
【００３６】
携帯端末５０は、画像処理装置１０とは独立して動作する装置としても機能する。ただし、ここでは、携帯端末５０は、画像処理装置１０を操作（遠隔操作）する装置（操作装置）として用いられる。画像処理システム１Ａにおけるユーザは、画像処理装置１０に対する各種の操作を携帯端末５０を用いて行うことが可能である。
【００３７】
＜１−２．画像処理装置１０の構成＞
図２は、画像処理装置１０の機能ブロックを示す図である。ここでは、画像処理装置１０として、ＭＦＰ（マルチ・ファンクション・ペリフェラル（Multi-Functional Peripheral））を例示する。図２においては、ＭＦＰ１０の機能ブロックが示されている。
【００３８】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６、およびコントローラ９等を備えており、これらの各部を複合的に動作させることによって、各種の機能を実現する。
【００３９】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００４０】
印刷出力部３は、印刷対象に関するデータに基づいて紙などの各種の媒体に画像を印刷出力する出力部である。
【００４１】
通信部４は、公衆回線等を介したファクシミリ通信を行うことが可能な処理部である。さらに、通信部４は、ネットワークＮＷを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（たとえば、携帯端末５０）との間で各種のデータを授受することが可能である。
【００４２】
格納部５は、ハードディスクドライブ（ＨＤＤ）等の記憶装置で構成される。格納部５は、印刷ジョブに係るデータ等を記憶する。
【００４３】
操作部６は、ＭＦＰ１０に対する操作入力を受け付ける操作入力部６ａと、各種情報の表示出力を行う表示部６ｂとを備えている。このＭＦＰ１０においては、液晶表示パネルに圧電センサ等が埋め込まれて構成されたタッチパネル（タッチスクリーンとも称する）２５（図１参照）が設けられている。このタッチパネル２５は、操作入力部６ａの一部としても機能するとともに、表示部６ｂの一部としても機能する。
【００４４】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＧ１を実行することによって、各種の処理部を実現する。なお、当該プログラム（詳細にはプログラムモジュール群）ＰＧ１は、ＵＳＢメモリなどの可搬性の記録媒体、あるいはネットワークＮＷ等を介してＭＦＰ１０にインストールされてもよい。
【００４５】
具体的には、図２に示すように、コントローラ９は、プログラムＰＧ１の実行により、通信制御部１１と表示制御部１５と動作制御部１７とを含む各種の処理部を実現する。
【００４６】
通信制御部１１は、他の装置（携帯端末５０等）との間の通信動作を制御する処理部である。通信制御部１１は、他の装置（携帯端末５０等）との通信接続の開始動作（接続動作）および終了動作（接続解除動作（切断動作））等をも制御する。
【００４７】
表示制御部１５は、画像処理装置１０のタッチパネル２５における表示内容を制御する処理部である。表示制御部１５は、携帯端末５０のタッチパネル７５（図１）における表示内容をも制御する。具体的には、表示制御部１５は、通信部４および通信制御部１１を用いて携帯端末５０と通信し、携帯端末５０の表示制御部６５（図３参照）等とも協働してタッチパネル７５の表示内容を制御する。
【００４８】
動作制御部１７は、画像処理装置１０における印刷出力動作などの各種動作を制御する。動作制御部１７は、画像処理装置１０自身の操作部６（タッチパネル２５等）を用いた操作入力、および携帯端末５０の操作部５６（タッチパネル７５等）を用いた操作入力に基づいて、各種動作を制御する。
【００４９】
＜１−３．携帯端末５０の構成＞
次に携帯端末５０の構成について説明する。ここでは、携帯端末５０として、タブレット型端末を例示する。ただし、これに限定されず、携帯端末５０は、スマートフォンであってもよく、パーソナルコンピュータなどであってもよい。
【００５０】
図３は、携帯端末５０の概略構成を示す機能ブロック図である。
【００５１】
携帯端末５０は、図３の機能ブロック図に示すように、通信部５４、格納部５５、操作部５６およびコントローラ５９等を備えており、これらの各部を複合的に動作させることによって、各種の機能を実現する。
【００５２】
通信部５４は、ネットワークＮＷを介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、携帯端末５０は、所望の相手先（画像処理装置１０等）との間で各種のデータを授受することが可能である。通信部５４は、画像処理装置１０に関する操作情報を画像処理装置１０との間で授受する。たとえば、通信部５４は、画面制御用情報ＳＣを画像処理装置１０から受信する。また、通信部５４は、携帯端末５０の操作部５６により受け付けられた操作指示入力に基づく操作指示情報ＭＤを画像処理装置１０へと送信する。
【００５３】
格納部５５は、不揮発性の半導体メモリ等の記憶装置で構成される。格納部５５は、画像データを格納する画面データ格納部５５ｃを有する。タッチパネル７５にて表示される各種の操作ボタンは、画像処理装置１０から受信した画面制御用情報ＳＣと画面データ格納部５５ｃに予め格納されている画像データとに基づいて生成される。
【００５４】
操作部５６は、携帯端末５０に対する操作入力を受け付ける操作入力部５６ａと、各種情報の表示出力を行う表示部５６ｂとを備えている。この携帯端末５０においては、液晶表示パネルに圧電センサ等が埋め込まれて構成されたタッチパネル（タッチスクリーン）７５（図１参照）が設けられている。このタッチパネル７５は、操作入力部５６ａの一部としても機能するとともに、表示部５６ｂの一部としても機能する。
【００５５】
後述するように、表示部５６ｂ（タッチパネル７５）には、画像処理装置１０のタッチパネル２５に表示しきれなくなった操作ボタン等を含む表示画面（図１４等参照）が表示される。
【００５６】
コントローラ５９は、携帯端末５０に内蔵され、携帯端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のソフトウエアプログラム（以下、単にプログラムとも称する）ＰＧ２を実行することによって、各種の処理部を実現する。なお、当該プログラムＰＧ２は、ＵＳＢメモリなどの可搬性の記録媒体、あるいはネットワークＮＷ等を介して携帯端末５０にインストールされるようにしてもよい。
【００５７】
プログラムＰＧ２は、画像処理装置１０を操作するアプリケーションソフトウエアであり、画像処理装置１０の操作に関する諸機能を実現する。
【００５８】
具体的には、図３に示すように、コントローラ５９は、プログラムＰＧ２の実行により、通信制御部６１と表示制御部６５とを含む各種の処理部を実現する。
【００５９】
通信制御部６１は、通信部５４等と協働して、画像処理装置１０等との通信動作を制御する処理部である。
【００６０】
表示制御部６５は、表示部５６ｂ（タッチパネル７５等）における表示動作を制御する処理部である。たとえば、表示制御部６５は、通信部５４により受信された画面制御用情報ＳＣに基づいて、画像処理装置１０を遠隔操作するための操作用画面ＧＳを生成し、当該操作用画面ＧＳをタッチパネル７５に表示する。なお、操作用画面ＧＳを用いた操作指示入力に基づき、操作指示情報ＭＤが通信部５４等を介して画像処理装置１０に送信される。
【００６１】
＜１−４．画像処理装置１０の操作部の構成＞
図７は、画像処理装置１０の操作部６（図１参照）の詳細構成を示す正面図である。図７に示すように、操作部６は、その正面側にタッチパネル２５を有している。タッチパネル２５においては、各種のメニュー画像（キー画像等を含む）が表示される。操作者は、タッチパネル２５内に仮想的に配置されるキー（キー画像（ボタン画像とも称する）で表現されるソフトウエアキー（ソフトウエアボタンとも称する））を押下することによって、各種の操作入力を画像処理装置１０に対して付与し、画像処理装置１０の各種動作内容を設定することなどが可能である。なお、タッチパネル２５の周囲（ここでは右側および下側）には、ハードウエアキー（ハードウエアボタンとも称する）が設けられている。操作者は、これらのハードウエアキーを押下することによっても、各種の操作入力を画像処理装置１０に対して付与すること等が可能である。
【００６２】
＜１−５．携帯端末５０の操作部の構成＞
図１４に示すように、携帯端末５０は、その正面に操作部５６を備えている。具体的には、略板状の携帯端末５０の正面側において、その周縁部（枠部）を除くほぼ全面にわたってタッチパネル７５が設けられている。
【００６３】
タッチパネル７５においては、自装置に関する操作を行うための画面のみならず、画像処理装置１０に関する操作を行うための操作用画面ＧＳが表示される。この操作用画面ＧＳ（図１４等参照）には、複数の操作ボタン等が表示される。
【００６４】
操作用画面ＧＳ内の操作ボタン（ソフトウエアキー）に対する操作入力が受け付けられると、携帯端末５０は、当該操作用画面ＧＳ内の操作ボタンを用いた操作入力がなされた旨を判定し、その旨を含む操作指示情報ＭＤを画像処理装置１０に送信する。画像処理装置１０は、当該操作指示情報ＭＤを受信すると、当該操作ボタンを用いた操作入力に対応する処理を実行する。
【００６５】
このように、携帯端末５０は、自装置に関する操作入力のみならず、画像処理装置１０に関する操作入力をも受け付ける。
【００６６】
＜１−６．動作＞
＜概要＞
ここでは、まず、初期状態の操作用の表示画面（初期画面）ＧＡ０（図７参照）が画像処理装置１０のタッチパネル２５に表示されている状況を想定する。
【００６７】
この表示画面ＧＡ０は、画像処理装置１０に関する操作メニュー（トップメニュー）を示す画面である。タッチパネル２５の表示画面ＧＡ０においては、４つの操作ボタンＢＳ１〜ＢＳ４（具体的には、「コピー」ボタンＢＳ１、「スキャン」ボタンＢＳ２、「ボックス」ボタンＢＳ３、「外部端末」ボタンＢＳ４）が表示されている。以下では、「ボックス」ボタンＢＳ３が押下された場合と「外部端末」ボタンＢＳ４が押下された場合とについて順に説明する。
【００６８】
（１）まず、「ボックス」ボタンＢＳ３が押下された場合について説明する。
【００６９】
「ボックス」ボタンＢＳ３が押下されると、タッチパネル２５の表示内容が表示画面ＧＡ０から表示画面ＧＡ１（図８）に変更される。表示画面ＧＡ１は、「ボックス」（画像処理装置１０内のファイル格納領域（フォルダなどとも称される））内に格納された複数のデータファイルのリストを表示する画面（ファイルリスト画面）である。
【００７０】
さらに、リスト表示された複数のデータファイルのうちの１つが操作者の操作によって選択されると、タッチパネル２５の表示内容が表示画面ＧＡ１から表示画面ＧＡ２（図９）に変更される。表示画面ＧＡ２内の左側には、選択されたファイル（例えば画像ファイル）のプレビューを表示するプレビュー表示領域ＰＶ（ＰＶ２）が設けられる。また、表示画面ＧＡ２内の右側には、複数の操作ボタンＢＮ１〜ＢＮ８が設けられる。詳細には、プレビュー画像を操作するための複数の操作ボタンＢＮ１〜ＢＮ５とプレビュー画像に関するジョブ指示を付与するための複数のボタン操作ＢＮ６〜ＢＮ８とが設けられる。
【００７１】
操作ボタンＢＮ１はプレビュー画像の送り操作（次のプレビュー画像の表示指示）を指示するボタンであり、操作ボタンＢＮ２は前のプレビュー画像への戻り操作（前のプレビュー画像の表示指示）を行うボタンである。また、操作ボタンＢＮ３はプレビュー画像の表示倍率増大操作（部分拡大動作とも称する）を行うボタンであり、操作ボタンＢＮ４はプレビュー画像の表示倍率低減操作（部分縮小動作（部分拡大動作））を行うボタンであり、操作ボタンＢＮ５はプレビュー画像の回転操作を行うボタンである。さらに、操作ボタンＢＮ６は印刷指示ボタンであり、操作ボタンＢＮ７はファクシミリ送信指示ボタンであり、操作ボタンＢＮ３はネット-ワーク送信指示ボタンである。
【００７２】
その後、ハードウエアボタンＨＢ２が押下され、プレビュー画像の拡大表示指示が付与される。ここでは、ハードウエアボタンＨＢ２は、プレビュー画像の表示領域の拡大表示（詳細には、プレビュー画像をタッチパネル２５の表示領域の全域にわたって拡大表示すること）を指示する操作ボタンとして機能する。すなわち、ハードウエアボタンＨＢ２に、拡大表示指示機能が付与されているものとする。なお、これに限定されず、拡大表示指示を付与する操作ボタン（「全画面プレビューボタン」等）がソフトウエアキーとしてタッチパネル２５内に設けられるようにしてもよい。
【００７３】
画像処理装置１０は、この拡大表示指示を受け付けると、タッチパネル２５の表示内容を表示画面（拡大前操作画面）ＧＡ２（図９）から表示画面（拡大後表示画面）ＧＡ３（図１３）に変更する。具体的には、タッチパネル２５の全体にわたってプレビュー画像の表示領域が拡大され、プレビュー画像が拡大表示される。なお、ここでは、プレビュー画像の表示領域の拡大に伴って、タッチパネル２５には操作ボタンを表示することができなくなる。すなわち、拡大後表示画面ＧＡ３における操作ボタンの表示数はゼロに低減される（操作ボタンは１つも表示されない）。
【００７４】
このように、タッチパネル２５においては、プレビュー画像の表示領域の拡大に伴って、プレビュー画像の表示領域以外の領域（操作パネル内のボタン表示領域等）が縮小し、本来表示したい比較的多数の操作ボタンが表示しきれなくなる（詳細には操作ボタンが１つも表示できない）。すなわち、画面内の領域不足に起因して、タッチパネル２５内に表示できない操作ボタンが発生する。
【００７５】
この実施形態においては、画像処理装置１０は、タッチパネル２５でのプレビュー画像の表示領域の拡大に伴ってタッチパネル２５に表示しきれなくなった複数の操作ボタンを、携帯端末５０との通信を用いて携帯端末５０のタッチパネル７５に表示させる。
【００７６】
具体的には、タッチパネル７５には、タッチパネル２５でのプレビュー画像の表示領域の拡大に伴って、拡大表示指示後のタッチパネル２５には表示されていない複数の操作ボタンＢＮ１〜ＢＮ８を含む操作ボタン群（ＢＮ１〜ＢＮ８，ＢＮ１１，ＢＮ１２）が表示される（図１４参照）。特に、拡大前にタッチパネル２５に表示されていた複数の操作ボタンＢＮ１〜ＢＮ８が、タッチパネル２５での拡大表示に伴って今度はタッチパネル７５に表示される（図１４参照）。図１４は、拡大表示指示後における、タッチパネル７５の表示画面ＧＳ３を示す図である。また、タッチパネル７５の表示画面ＧＳ３には、プレビュー拡大前の表示画面に戻るための操作ボタン（「戻る」ボタン）ＢＮ１１と、画像処理装置１０および携帯端末５０の相互間の通信接続を切断するための操作ボタン（「切断」ボタンないし「接続解除」ボタンとも称する）ＢＮ１２とがさらに設けられている。なお、操作者は、拡大操作時において、自らの携帯端末５０を画像処理装置１０に近傍に予め配置しておくことが好ましい。
【００７７】
このような態様によれば、操作者は、タッチパネル７５に表示された複数の操作ボタンＢＮ１〜ＢＮ８を利用して、拡大表示指示前と同様の各種の操作を引き続き行うことが可能である。したがって、タッチパネル２５に表示しきれなくなった操作ボタンに対応する操作をも行うことが可能であり、操作性の低下を抑制することが可能である。より詳細には、プレビュー画像の拡大表示画面ＧＡ３（図１３）から拡大前の表示画面ＧＡ２（図９）に一旦戻ることなく、プレビュー画像に関連する各種の操作等を行うことが可能である。また、拡大後のプレビュー画像に操作ボタンが重畳表示される場合と比較して、拡大後のプレビュー画像の視認性に悪影響を与えることも無い。
【００７８】
（２）つぎに、「外部端末」ボタンＢＳ４が押下された場合について説明する。
【００７９】
表示画面ＧＡ０（図７）において「外部端末」ボタンＢＳ４が押下されると、タッチパネル２５の表示内容が表示画面ＧＡ０から表示画面ＧＢ１（図１１）に変更される。表示画面ＧＢ１は、外部端末（ここでは携帯端末５０）内のファイル格納領域（フォルダなどとも称される）に格納された複数のデータファイルのリストを表示する画面である。詳細には、「外部端末」ボタンが押下されたときには、画像処理装置１０は、携帯端末５０との通信接続を用いて、携帯端末５０内のファイルリスト情報を取得し、表示画面ＧＢ１に表示する。このように、外部端末内のリスト表示においては、表示画面ＧＢ１の表示時点で既に通信接続が確立されている。
【００８０】
さらに、操作者の操作によって複数のデータファイルのうちの１つが選択されると、タッチパネル２５の表示内容が表示画面ＧＢ１から表示画面ＧＢ２（図１２）に変更される。表示画面ＧＢ２内の左側には、選択されたデータファイルのプレビューを表示するプレビュー表示領域ＰＶ（ＰＶ２）が設けられる。また、表示画面ＧＢ２内の右側には、図９と同様の複数の操作ボタンが設けられる。詳細には、プレビュー画像を操作するための複数の操作ボタンＢＮ１〜ＢＮ５とプレビュー画像に関するジョブ指示を付与するための複数のボタン操作ＢＮ６〜ＢＮ８とが設けられる。
【００８１】
その後、ハードウエアボタンＨＢ２が押下され、拡大表示指示が付与される。
【００８２】
これに応じて、タッチパネル２５の表示内容が表示画面ＧＢ２（図１２）から表示画面ＧＢ３（図１３参照）に変更される。具体的には、タッチパネル２５の全体にわたってプレビュー画像の表示領域が拡大され、プレビュー画像が拡大表示される。拡大後のプレビュー画像の表示領域ＰＶ（ＰＶ３）は、タッチパネル２５の全体に拡がる領域である。そのため、タッチパネル２５には余白領域（プレビュー画像表示領域以外の表示領域）が存在せず、タッチパネル２５には操作ボタンを１つも表示することができない。
【００８３】
このように、タッチパネル２５においては、プレビュー画像の表示領域の拡大に伴って、プレビュー画像の表示領域以外の領域（操作パネル内のボタン表示領域等）が縮小し、本来表示したい比較的多数の操作ボタンが表示しきれなくなる。
【００８４】
一方、タッチパネル７５には、タッチパネル２５でのプレビュー画像の表示領域の拡大に伴って、拡大表示指示後のタッチパネル２５には表示されていない複数の操作ボタンＢＮ１〜ＢＮ８を含む操作ボタン群（ＢＮ１〜ＢＮ８，ＢＮ１１，ＢＮ１２）が表示される（図１４参照）。特に、拡大前にタッチパネル２５に表示されていた複数の操作ボタンＢＮ１〜ＢＮ８が、タッチパネル２５での拡大表示に伴って今度はタッチパネル７５に表示される。これによれば、操作者は、タッチパネル７５に表示された複数の操作ボタンを利用して、拡大前と同様の各種の操作を引き続き行うことが可能である。したがって、タッチパネル２５に表示しきれなくなった操作ボタンに対応する操作をも行うことが可能であり、操作性の低下を抑制することが可能である。
【００８５】
＜詳細動作＞
つぎに、上記のような動作について、携帯端末５０に対する接続動作等をも加えて、図４〜図６等を参照しながら詳細に説明する。図４および図５は、画像処理装置１０の動作を示すフローチャートであり、図６は、携帯端末５０の動作を示すフローチャートである。なお、図４および図５は、画像処理装置１０の操作部６を用いて、操作者によるプレビュー画像の拡大操作が行われた後における動作を示している。換言すれば、図４および図５には、拡大表示指示が受け付けられた後における画像処理装置１０の動作が示されている。
【００８６】
図４のステップＳ１１に示すように、プレビュー画像の拡大直後においては、画像処理装置１０がいずれかの携帯端末５０と既に接続中であるか否かが判定される。
【００８７】
ステップＳ１１で「接続中」であることが判定されると、ステップＳ１７に進む。たとえば、外部端末内のファイルが表示されている場合には、携帯端末５０との通信接続が表示画面ＧＢ１の表示時点で既に確立されているので、ステップＳ１２〜ステップＳ１５の接続処理を行うことを要さず直ちにステップＳ１７に進む。
【００８８】
一方、ステップＳ１１で未だ「接続中」ではないことが判定されると、ステップＳ１２に進む。たとえば、ボックス内のファイルが表示されている場合には、表示画面ＧＢ２の表示時点でも携帯端末５０との間の通信接続が未だ確立されておらず、ステップＳ１２に進む。そして、ステップＳ１２〜ステップＳ１５において、画像処理装置１０は、操作者の操作に応じて近傍の携帯端末５０との間で通信接続を確立する。より詳細には、画像処理装置１０の無線通信の通信範囲内に存在する１または複数の携帯端末５０が検出され、検出された携帯端末５０の中から、接続対象の携帯端末がユーザ操作により選択される。その選択操作（選択結果）に応じて、画像処理装置１０は、選択された接続対象の携帯端末５０との通信接続を確立する。
【００８９】
具体的には、まず、画像処理装置１０は、近傍の携帯端末５０を検索する。携帯端末５０が画像処理装置１０の近傍に存在するときには、ステップＳ１３からステップＳ１４に進む。なお、携帯端末５０が画像処理装置１０の近傍に存在しないときには、本処理を終了する。
【００９０】
次のステップＳ１４においては、画像処理装置１０による検索結果を示す画面ＭＮ１がタッチパネル２５に表示される。図１０は、画面ＭＮ１を示す図である。画面ＭＮ１（リスト画面とも称される）においては、ステップＳ１３にて検索された１または複数（ここでは５つ）の携帯端末５０がリストアップされている。操作者は、リストアップされた５つの携帯端末５０ａ〜５０ｅの中から、所望の携帯端末５０（たとえば、自らが所持する携帯端末５０）を選択し、タッチパネル２５内の対応表示部分を押下する。たとえば、リスト画面ＭＮ１内の携帯端末５０ａに対応する欄を押下することによって、携帯端末５０ａが選択される。
【００９１】
いずれかの携帯端末５０が選択されると、ステップＳ１５からステップＳ１６に進み、選択された携帯端末５０（たとえば５０ａ）との通信接続処理が実行され、当該携帯端末５０と画像処理装置１０との通信接続が確立される。なお、いずれの携帯端末も選択されずキャンセルボタンＣＳ（図１０）が押下された場合には、本処理を終了する。
【００９２】
ステップＳ１６においては画像処理装置１０と携帯端末５０との通信接続が確立される。具体的には、接続対象である携帯端末５０に対して画像処理装置１０から接続要求を送信する。携帯端末５０は当該接続要求を受信すると、画像処理装置１０との通信接続の確立処理を行う（ステップＳ３１，Ｓ３２（図６））。
【００９３】
なお、図６に示すように、携帯端末５０は、ステップＳ３１，Ｓ３３，Ｓ３４，Ｓ３６における分岐処理に応じた各処理を実行する。詳細には、携帯端末５０は、接続要求を受信した旨をステップＳ３１で判定すると、ステップＳ３２に進み、接続処理を実行する。また、携帯端末５０は、切断要求（接続解除要求）を受信した旨をステップＳ３３で判定すると、ステップＳ３８に進み、切断処理を実行する。また、携帯端末５０は、操作ボタン表示用の情報（操作ボタン情報ＭＰとも称する）を受信した旨をステップＳ３４で判定すると、ステップＳ３５に進み、操作ボタン情報ＭＰに基づき操作ボタンをタッチパネル７５に表示する。さらに、携帯端末５０は、タッチパネル７５の操作ボタンを用いた操作者からの操作指示入力を受け付けた旨をステップＳ３６で判定すると、ステップＳ３７に進み、当該操作指示入力に基づく操作指示情報ＭＤを画像処理装置１０に送信する。
【００９４】
さて、ステップＳ１６において画像処理装置１０と携帯端末５０との通信接続が確立されると、ステップＳ１７に進む。
【００９５】
ステップＳ１７においては、タッチパネル７５における操作ボタン表示用の情報（操作ボタン情報）ＭＰが画像処理装置１０から携帯端末５０へと送信される。携帯端末５０は、操作ボタン情報ＭＰを受信すると、操作ボタン情報ＭＰに基づき、操作ボタンをタッチパネル７５に表示する（ステップＳ３４，Ｓ３５（図６））。なお、操作ボタン情報ＭＰは、画像処理装置１０に関する操作ボタンをタッチパネル７５に表示させるための情報であるとも表現される。
【００９６】
たとえば、タッチパネル２５におけるプレビュー画像の拡大表示指示に伴って、タッチパネル２５の表示内容が表示画面ＧＡ２（図９）から表示画面ＧＡ３（図１３）に変更される。このときには、拡大直前にはタッチパネル２５に表示されていた複数の操作ボタンＢＮ１〜ＢＮ８が、今度はタッチパネル７５に表示される（図１４参照）。
【００９７】
また、タッチパネル２５におけるプレビュー画像の拡大表示指示に伴って、タッチパネル２５の表示内容が表示画面ＧＢ２（図１２）から表示画面ＧＢ３（図１３）に変更される。このときにも、拡大直前にはタッチパネル２５に表示されていた複数の操作ボタンＢＮ１〜ＢＮ８が、今度はタッチパネル７５に表示される（図１４参照）。
【００９８】
その後、タッチパネル７５の表示画面ＧＡ２（あるいはＧＡ３）を用いた操作が操作者により行われ得る。
【００９９】
操作者がタッチパネル７５の操作ボタンを用いて各種の操作指示入力を行うと、携帯端末５０は、操作者からの当該操作指示入力を受け付け、当該操作指示入力に基づく操作指示情報ＭＤを生成し、当該操作指示情報ＭＤを画像処理装置１０に送信する（ステップＳ３６，Ｓ３７（図６））。
【０１００】
画像処理装置１０は、ステップＳ２１（図５）で操作指示情報ＭＤを受信した旨を判定するとステップＳ２２に進む。ステップＳ２２では、受信された操作指示情報ＭＤの種類に応じた分岐処理が実行される。
【０１０１】
具体的には、受信された操作指示情報ＭＤが「接続解除指示」である場合には、ステップＳ２２からステップＳ２７に進む。たとえば、「切断」ボタンＢＮ１２による操作指示入力に基づく操作指示情報ＭＤが受信された場合には、ステップＳ２７に進む。ステップＳ２７においては、画像処理装置１０は携帯端末５０との通信接続を解除する。
【０１０２】
一方、受信された操作指示情報ＭＤが「接続解除指示」以外の操作指示である場合には、ステップＳ２２からステップＳ２３に進み、画像処理装置１０は当該操作指示情報ＭＤに基づく指示処理を実行する。当該指示処理は、タッチパネル７５内の操作ボタンＢＮ１〜ＢＮ８に対応する指示処理と、「戻る」ボタンＢＮ１１に対応する指示処理とを含む。たとえば、「回転」ボタンＢＮ５による操作指示入力に基づく操作指示情報ＭＤが受信された場合には、プレビュー画像の回転処理が行われる。「印刷」ボタンＢＮ６による操作指示入力に基づく操作指示情報ＭＤが受信された場合には、プレビュー対象画像に関する印刷処理が行われる。あるいは、「戻る」ボタンＢＮ１１による操作指示入力に基づく操作指示情報ＭＤが受信された場合には、タッチパネル２５での表示内容を拡大表示指示前への表示画面ＧＡ２（あるいはＧＡ３）へと復帰させる処理が行われる。
【０１０３】
なお、タッチパネル７５内の操作ボタンＢＮ１〜ＢＮ５に対応する指示処理が行われた場合には、タッチパネル２５内の拡大プレビュー表示は解除されない。一方、タッチパネル７５内の操作ボタンＢＮ６〜ＢＮ８，ＢＮ１１（，ＢＮ１２）に対応する指示処理が行われた場合には、タッチパネル２５内の拡大プレビュー表示は解除される。
【０１０４】
ステップＳ２３の次のステップＳ２４，Ｓ２５においては、さらなる分岐処理が行われる。
【０１０５】
ステップＳ２４で、指示処理の実行に応じて拡大プレビュー表示が解除されない場合には、再びステップＳ２１に戻り、操作指示情報の受信を待機する。一方、ステップＳ２４で、指示処理の実行に応じて拡大プレビュー表示が解除された場合には、ステップＳ２５に進む。
【０１０６】
ステップＳ２５では、拡大プレビュー表示の開始直前時点（換言すれば、拡大前の表示画面ＧＡ２（，ＧＢ２）の表示時点）ＴＰ２で、画像処理装置１０と携帯端末５０との接続が既に確立されていたか否かに応じた分岐処理が行われる。なお、この時点ＴＰ２は、拡大表示指示前にタッチパネル２５に表示されていた表示画面ＧＡ２（ＧＢ２）から、拡大表示指示後にタッチパネル２５に表示される表示画面ＧＡ３（ＧＢ３）への遷移時点、であるとも表現される。
【０１０７】
当該点ＴＰ２では携帯端末５０との接続が未だ確立されていなかったと判定される場合には、ステップＳ２７に進み、接続が切断される。
【０１０８】
たとえば、「（画像処理装置１０の）ボックス内ファイルリスト表示」に関しては、表示画面ＧＡ２の表示時点では未だ通信接続が確立されていない。したがって、ボックス内ファイルリスト表示に関しては、携帯端末５０との接続は時点ＴＰ２では未だ確立されていなかった旨がステップＳ２５で判定され、ステップＳ２７に進む。そして、画像処理装置１０と携帯端末５０との間の通信接続が切断される。詳細には、画像処理装置１０から携帯端末５０へと切断要求が送信され、携帯端末５０は、受信した切断要求（接続解除要求）に基づき切断処理（接続解除処理）を実行する（ステップＳ３３，Ｓ３８（図６））。
【０１０９】
より具体的には、「戻る」ボタンＢＮ１１の押下（拡大表示指示前の表示画面への復帰指示）に応じて、タッチパネル２５の表示内容が表示画面ＧＡ３から表示画面ＧＡ２に復帰する際において、ステップＳ２５からステップＳ２７に進み、画像処理装置１０と携帯端末５０との通信接続が自動的に解除される。また、タッチパネル７５においては表示画面ＧＳ３が表示されなくなる。これによれば、拡大表示指示に応じてタッチパネル７５での操作ボタン表示用に確立された通信接続を、拡大表示指示前の表示画面への復帰指示に応答して自動的に解除することができる。操作者の特別の接続解除動作を要しないので、高い操作性を得ることが可能である。
【０１１０】
一方、当該時点ＴＰ２で携帯端末５０との接続が既に確立されていたと判定される場合には、ステップＳ２６に進み、接続を継続する旨が判定される。
【０１１１】
たとえば、「外部端末内ファイルリスト表示」に関しては、表示画面ＧＢ１の表示時点で既に通信接続が確立されており、表示画面ＧＢ２の表示時点ＴＰ２においても通信接続状態が維持されている。したがって、外部端末内ファイルリスト表示に関しては、携帯端末５０との接続が時点ＴＰ２で既に確立されていた旨がステップＳ２５で判定され、通信接続が継続される（ステップＳ２６）。
【０１１２】
より具体的には、「戻る」ボタンＢＮ１１の押下（拡大表示指示前の表示画面への復帰指示）に応じて、タッチパネル２５の表示内容が表示画面ＧＢ３から表示画面ＧＢ２に復帰する際において、タッチパネル７５においては表示画面ＧＳ３が表示されなくなる。ただし、このときには、ステップＳ２５からステップＳ２６に進み、画像処理装置１０と携帯端末５０との通信接続が維持される。このように、画像処理装置１０と携帯端末５０との通信接続が拡大表示指示時点ＴＰ２において既に確立されている場合には、表示画面ＧＢ３から表示画面ＧＢ２への復帰指示が受け付けられるときであっても、携帯端末との通信接続は、解除されることなく維持される。これによれば、拡大表示指示時点ＴＰ２で既に確立していた通信接続がむやみに解除されないので、有用である。
【０１１３】
以上のような態様によれば、拡大表示指示が受け付けられてタッチパネル２５における特定情報の表示領域（プレビュー画像の表示領域）の拡大に伴って、タッチパネル２５内のボタン表示領域が低減しタッチパネル２５内の操作ボタンの表示数が低減しても、タッチパネル２５に表示できなくなった操作ボタンが今度はタッチパネル７５に表示される。そのため、操作者は、拡大表示指示後においても、タッチパネル７５に表示される複数の操作ボタンＢＮ１〜ＢＮ８を利用して、拡大表示指示前と同様の各種の操作を引き続き行うことが可能である。したがって、タッチパネル２５に表示しきれなくなった操作ボタンに対応する操作をも行うことが可能であり、操作性の低下を抑制することが可能である。特に、タッチパネル２５における全画面拡大表示によりタッチパネル２５内のボタン表示領域が存在しなくなりタッチパネル２５に操作ボタンが表示されなくなっても、タッチパネル７５に表示された操作ボタンを用いて、画像処理装置１０に関する操作を行うことが可能である。このように、画像処理装置１０とその近傍の携帯端末５０とが連携することによって、画像処理装置１０に関する操作性の低下を抑制することが可能である。
【０１１４】
また特に、拡大表示指示後においては、タッチパネル２５には操作ボタンが表示されず、タッチパネル７５に全ての操作ボタンＢＮ１〜ＢＮ８が集約して表示されている。これによれば、タッチパネル２５とタッチパネル７５との間を往来しつつ操作することを要しないので、操作性の低下を抑制することが可能である。
【０１１５】
なお、上記実施形態においては、タッチパネル２５内のプレビュー画像の拡大表示に伴ってタッチパネル２５に表示しきれなくなった全ての操作ボタンＢＮ１〜ＢＮ８がタッチパネル７５に表示される態様が例示されているが、これに限定されない。
【０１１６】
たとえば、タッチパネル２５内のプレビュー画像の拡大表示に伴ってタッチパネル２５に表示しきれなくなった全操作ボタンＢＮ１〜ＢＮ８のうち、一部の操作ボタンＢＮ１〜ＢＮ５（換言すれば、プレビュー画像を操作するための操作ボタン）が、タッチパネル７５に表示されるようにしてもよい（図１５参照）。あるいは、タッチパネル２５内のプレビュー画像の拡大表示に伴ってタッチパネル２５に表示しきれなくなった全操作ボタンＢＮ１〜ＢＮ８のうち、一部の操作ボタンＢＮ６〜ＢＮ８（プレビュー画像に関するジョブ指示を付与するための操作ボタン）がタッチパネル７５に表示されるようにしてもよい（図１６参照）。
【０１１７】
＜２．第２実施形態＞
第２実施形態は、第１実施形態の変形例である。以下では、第１実施形態との相違点を中心に説明する。
【０１１８】
上記第１実施形態においては、プレビュー画像の表示領域の拡大に伴って、拡大後のプレビュー画像がタッチパネル２５内の全域にわたって表示され操作ボタンはタッチパネル２５には表示されず、且つ、タッチパネル７５に複数の操作ボタンが表示される態様が例示されている。
【０１１９】
この第２実施形態においては、プレビュー画像の表示領域の拡大に伴って、拡大後のプレビュー画像とともに一部の操作ボタンがタッチパネル２５に表示され、且つ、タッチパネル７５に他の操作ボタンが表示される態様を例示する。端的に言えば、プレビュー画像の表示領域の拡大に伴って、タッチパネル２５とタッチパネル７５との双方に操作ボタンが表示される態様を例示する。この第２実施形態においては、プレビュー画像の表示領域の拡大後において、タッチパネル２５の操作ボタンを用いた操作が可能であるとともに、タッチパネル７５の操作ボタンを用いた操作も可能である。
【０１２０】
図１７は、第２実施形態に係る表示画面ＧＡ２（ＧＡ２２とも称する）を示す図である。この表示画面ＧＡ２２は、表示画面ＧＡ０（図７）の「ボックス」ボタン押下に応じてタッチパネル２５に表示される画面である。表示画面ＧＡ２２においては、拡大表示前のプレビュー画像の表示領域ＰＶ（ＰＶ２２）と複数の操作ボタンＢＮ１〜ＢＮ８とが表示されている。なお、この第２実施形態では、「ボックス」ボタンが押下される場合について主に説明するが、「外部端末」ボタンが押下された場合にも同様の表示動作が行われる。
【０１２１】
その後、ハードウエアボタンＨＢ２が押下され、拡大表示指示が付与される。ここでは、ハードウエアボタンＨＢ２に、拡大表示指示機能が付与されているものとする。すなわち、ハードウエアボタンＨＢ２は、プレビュー画像の拡大表示（ここでは、プレビュー画像をタッチパネル２５の表示領域のうちの比較的大きな領域に表示すること）を指示する操作ボタンとして機能する。なお、これに限定されず、拡大表示指示を付与する操作ボタン（「拡大プレビューボタン」等）がソフトウエアキーとしてタッチパネル２５内に設けられるようにしてもよい。
【０１２２】
この拡大表示指示が画像処理装置１０に対して付与されると、タッチパネル２５の表示内容が表示画面ＧＡ２２（図１７）から表示画面ＧＡ２３（図１８）に変更される。具体的には、タッチパネル２５内においてプレビュー画像の表示領域が比較的大きな領域へと拡大され、プレビュー画像が拡大表示される。拡大後のプレビュー画像の表示領域ＰＶ（ＰＶ２３）は、タッチパネル２５の全部ではないが、タッチパネル２５の半分以上を占める比較的大きな領域である。このとき、タッチパネル２５に表示できる操作ボタンの数は低減される。ここでは、操作ボタンの表示数が１０個から５個へと低減されるものとする。具体的には、５個の操作ボタンＢＮ１〜ＢＮ５のみがタッチパネル２５に表示される。
【０１２３】
このように、タッチパネル２５においては、プレビュー画像の表示領域の拡大に伴って、プレビュー画像の表示領域以外の領域（操作パネル内のボタン表示領域等）が縮小し、本来表示したい比較的多数の操作ボタンが表示しきれなくなる。
【０１２４】
そこで、この実施形態においては、画像処理装置１０は、タッチパネル２５でのプレビュー画像の表示領域の拡大に伴ってタッチパネル２５に表示しきれなくなった複数の操作ボタンを、携帯端末５０との通信を用いて携帯端末５０のタッチパネル７５に表示させる。具体的には、拡大前にタッチパネル２５に表示されていた複数の操作ボタンＢＮ６〜ＢＮ８を含む表示画面ＧＳ２３が、タッチパネル２５での拡大表示に伴って今度はタッチパネル７５に表示される（図１９）。また、タッチパネル７５の表示画面ＧＳ２３には、プレビュー拡大前の表示画面に戻るための操作ボタン（「戻る」ボタン）ＢＮ１１と、画像処理装置１０および携帯端末５０の相互間の通信接続を切断するための操作ボタン（切断ボタン）ＢＮ１２とがさらに設けられている。
【０１２５】
図２０は、第２実施形態における拡大表示指示後における操作の様子を示す図である。図２０に示すように、操作者は、タッチパネル２５内に表示される複数の操作ボタンＢＮ１〜ＢＮ５と、タッチパネル２５の近傍に配置されたタッチパネル７５内に表示される複数の操作ボタンＢＮ６〜ＢＮ８とを用いて、画像処理装置１０に関する操作を行うことが可能である。
【０１２６】
このような態様によれば、操作者は、タッチパネル７５に表示された複数の操作ボタンＢＮ６〜ＢＮ８を利用して、拡大前と同様の各種の操作を引き続き行うことが可能である。詳細には、タッチパネル２５における拡大表示によりタッチパネル２５内の操作ボタンの表示数が８個から５個に低減する場合においても、拡大後にタッチパネル７５に表示された操作ボタン（より詳細には残りの３個の操作ボタン）ＢＮ６〜ＢＮ８を用いて、画像処理装置１０に関する操作を行うことが可能である。したがって、タッチパネル２５に表示しきれなくなった操作ボタンに対応する操作をも行うことが可能であり、操作性の低下を抑制することが可能である。
【０１２７】
なお、上記第２実施形態においては、拡大後のプレビュー画像（表示領域ＰＶ２３）とともに一部の操作ボタンＢＮ１〜ＢＮ５がタッチパネル２５に表示され、且つ、タッチパネル７５に他の操作ボタンＢＮ６〜ＢＮ８，ＢＮ１１，ＢＮ１２が表示される態様が例示されている。ただし、これに限定されず、たとえば、図２１および図１５に示すように、タッチパネル２５に表示されるボタンとタッチパネル７５に表示されるボタンとの間で一部（または全部）が入れ替わって配置されるようにしてもよい。詳細には、拡大後のプレビュー画像（表示領域ＰＶ２４）とともに一部の操作ボタンＢＮ６〜ＢＮ８がタッチパネル２５に表示され（図２１参照）、且つ、タッチパネル７５に他の操作ボタンＢＮ１〜ＢＮ５等が表示される（図１５参照）ようにしてもよい。
【０１２８】
また、上記第２実施形態においては、拡大表示指示前にタッチパネル２５に表示されていた複数の操作ボタンＢＮ１〜ＢＮ８のうち、一部の操作ボタンがタッチパネル２５に表示されるとともに残りの操作ボタンがタッチパネル７５に表示される態様が例示されているが、これに限定されない。
【０１２９】
たとえば、タッチパネル２５に全ての操作ボタンが表示しきれない場合において、（タッチパネル２５に一部のボタンが表示されているか否かにかかわらず、）タッチパネル７５に全ての操作ボタンが表示されるようにしてもよい。すなわち、拡大表示指示前にタッチパネル２５に表示されていた複数の操作ボタンＢＮ１〜ＢＮ８が、拡大表示指示後にはタッチパネル７５に表示されるようにしてもよい。
【０１３０】
より詳細には、たとえば、第２実施形態における表示画面ＧＡ２３（図１８）がタッチパネル２５に表示されるとともに、第１実施形態における表示画面ＧＳ３（図１４）がタッチパネル７５に表示されるようにしてもよい。このように、タッチパネル７５に全ての操作ボタンを集約して表示することによれば、タッチパネル２５とタッチパネル７５との間を往来しつつ操作することを要しないので、操作性の低下を抑制することが可能である。
【０１３１】
なお、このように、拡大表示指示後のタッチパネル７５においては、拡大表示指示後のタッチパネル２５に表示されていない操作ボタンＢＮ６〜ＢＮ８のみならず、拡大表示指示後のタッチパネル２５に表示されている操作ボタンＢＮ１〜ＢＮ５をも含む操作ボタン群が表示されるようにしてもよい。換言すれば、拡大表示指示後のタッチパネル７５においては、拡大表示指示後のタッチパネル２５にも表示されている操作ボタンＢＮ１〜ＢＮ５と拡大表示指示後のタッチパネル２５には表示されていない操作ボタンＢＮ６〜ＢＮ８との双方を含む操作ボタン群が表示されるようにしてもよい。
【０１３２】
＜３．第３実施形態＞
上記第１および第２実施形態においては、プレビュー画像が拡大される態様が例示されているが、これに限定されない。第３実施形態においては、メニュー画面ＧＡ３１（図２２）に代わって簡易メニュー画面ＧＡ３２（図２３）が表示される際に本発明の思想が適用される態様について説明する。具体的には、簡易メニュー画面ＧＡ３２への切換指示（特定情報の拡大表示指示）に応じて、タッチパネル７５にも操作ボタンが表示される態様を例示する。
【０１３３】
この第３実施形態においては、第１実施形態とは異なり、まず、メニュー画面として図２２に示す表示画面ＧＡ３１（操作メニュー画面とも称する）が表示されるものとする。この表示画面ＧＡ３１には、多数の操作ボタンＢＮ３１〜ＢＮ４２が表示されている。このメニュー画面ＧＡ３１は、コピーに関する各種の設定を行うためのメニュー画面である。
【０１３４】
この第３実施形態においては、ハードウエアボタンＨＢ２に通常メニュー表示から簡易メニュー表示への切替機能が付与されており、当該ハードウエアボタンＨＢ２が押下されると、図２２の操作メニュー画面ＧＡ３１は簡易メニュー画面ＧＡ３２（図２３）へと切り換えられる。すなわち、簡易メニュー画面ＧＡ３２の表示指示が時点ＴＰ２にて受け付けられると、簡易メニュー画面ＧＡ３２がタッチパネル２５に表示される。
【０１３５】
簡易メニュー画面ＧＡ３２は、画像処理装置に関する操作メニュー画面ＧＡ３１内の複数（ここでは１２個）の操作ボタンＢＮ３１〜ＢＮ４２のうちの一部の操作ボタンＢＮ３１〜ＢＮ３４を選択的に拡大表示した画面である。換言すれば、簡易メニュー画面ＧＡ３２は、タッチパネル２５において、一部の（４個の）操作ボタンＢＮ３１〜ＢＮ３４の表示領域を拡大するとともに、操作ボタンの表示数を１２個から４個に低減した画面である。また、ハードウエアボタンＨＢ２の押下操作は、簡易メニュー画面ＧＡ３２をタッチパネル２５に表示する表示指示である。ハードウエアボタンＨＢ２の押下操作は、操作メニュー画面ＧＡ３１内の一部の操作ボタンＢＮ３１〜ＢＮ３４を拡大して表示する拡大表示指示であるとも表現される。
【０１３６】
ここにおいて、簡易メニュー画面ＧＡ３２における４つの操作ボタンＢＮ３１〜ＢＮ３４（ＢＮ５１〜ＢＮ５４とも表現する）は、タッチパネル２５内において比較的大きく表示されている。そのため、タッチパネル２５における余白領域（操作ボタン画像の表示領域以外の表示領域）が存在せず、その他の操作ボタンを表示することが困難である。
【０１３７】
そこで、この第３実施形態においては、ハードウエアボタンＨＢ２の押下処理に応答して、さらに、タッチパネル７５に、タッチパネル２５での一部の操作ボタンの表示領域の拡大に伴ってタッチパネル２５に表示しきれなくなった他の操作ボタン等を含む表示画面ＧＳ３２（図２４）が表示される。具体的には、拡大前にタッチパネル２５に表示されていた複数の操作ボタンＢＮ３５〜ＢＮ４２が、タッチパネル２５での拡大表示に伴って今度はタッチパネル７５の表示画面ＧＳ３２に表示される。換言すれば、拡大前の操作メニュー画面ＧＡ３１内に表示されていた操作ボタンであって拡大後の簡易メニュー画面ＧＡ３２には表示されていない操作ボタンＢＮ３５〜ＢＮ４２が、タッチパネル２５とは別のタッチパネル７５に表示される。これによれば、操作者は、タッチパネル７５に表示された複数の操作ボタンＢＮ３５〜ＢＮ４２を利用して、拡大前と同様の各種の操作を引き続き行うことが可能である。したがって、タッチパネル２５に表示しきれなくなった操作ボタンに対応する操作をも行うことが可能であり、操作性の低下を抑制することが可能である。
【０１３８】
＜４．変形例等＞
以上、この発明の実施の形態について説明したが、この発明は上記説明した内容のものに限定されるものではない。
【０１３９】
たとえば、上記各実施形態においては、リスト画面ＭＮ１（図１０）内から所望の携帯端末５０（たとえば５０ａ）が接続対象装置として選択される態様が例示されているが、これに限定されない。具体的には、無線通信の通信範囲内に存在する複数の携帯端末５０が画像処理装置１０によって検出され、検出された複数の携帯端末５０の中から、画像処理装置１０に最も近い位置に存在する携帯端末（詳細には、その電波強度が最も大きな携帯端末）５０ｎが、画像処理装置１０の接続対象装置（接続対象の携帯端末）として決定されるようにしてもよい。そして、画像処理装置１０が、決定された接続対象装置の携帯端末５０ｎとの通信接続を確立するようにすればよい。なお、このような動作は、画像処理装置１０の通信部４および通信制御部１１などによって行わればよい。
【０１４０】
これによれば、画像処理装置１０の最も近くに存在する携帯端末５０との接続が自動的に確立されるので、高い操作性を得ることができる。
【０１４１】
同様に、画像処理装置１０と携帯端末５０との通信接続解除（通信切断）およびそれに伴う表示状態の変更に関しても、自動的に行われるようにしてもよい。詳細には、画像処理装置１０の通信部４は、接続対象の携帯端末が無線通信の通信範囲内に存在しなくなったことを検出すると、表示制御部１５は、タッチパネル２５における表示内容を拡大表示指示時点ＴＰ２での表示内容に復帰させる。より詳細には、一定間隔（たとえば５秒に１回）で携帯端末５０との接続状態を確認し、携帯端末５０との接続状態が確認されないことが数回連続したときに、当該携帯端末５０が無線通信の通信範囲内に存在しなくなった旨を判定する。
【０１４２】
これによれば、接続対象の携帯端末が無線通信の通信範囲内に存在しなくなったときには、画像処理装置１０と携帯端末５０との接続が自動的に切断されるとともに、タッチパネル２５における表示画面が拡大表示指示時点ＴＰ２での表示画面に自動的に復帰する。したがって、高い操作性を得ることができる。
【０１４３】
また、上記各実施形態において、タッチパネル２５およびタッチパネル７５に表示された操作ボタンを用いた操作入力は、操作者の手指で当該操作ボタンを直接的に押下する操作入力のみならず、ハードウエアカーソルキーおよびハードウエア決定キーを用いて当該操作ボタンを間接的に押下する操作入力であってもよい。具体的には、ハードウエアカーソルキーを用いて画面上のカーソル位置を変更し、カーソルが操作ボタン上に重畳表示されている状態で、ハードウエア決定キーが押下されることによって、当該操作ボタンが間接的に押下されるようにしてもよい。
【符号の説明】
【０１４４】
１  画像処理システム
６  （画像処理装置の）操作部
１０  画像処理装置
２５  （画像処理装置の）タッチパネル
５０  携帯端末
５６  （携帯端末の）操作部
７５  （携帯端末の）タッチパネル
ＢＮ１〜ＢＮ８，ＢＮ１１，ＢＮ１２、ＢＮ３１〜ＢＮ４２  操作ボタン
ＧＡ２，ＧＢ２，ＧＡ３１  （拡大表示指示前における画像処理装置での）表示画面
ＧＡ３，ＧＢ３，ＧＡ３２  （拡大表示指示後における画像処理装置での）表示画面
ＧＳ３，ＧＳ３２  （拡大表示指示後における携帯端末での）表示画面
【図１】
0005825090.tif 000002
【図２】
0005825090.tif 000003
【図３】
0005825090.tif 000004
【図４】
0005825090.tif 000005
【図５】
0005825090.tif 000006
【図６】
0005825090.tif 000007
【図７】
0005825090.tif 000008
【図８】
0005825090.tif 000009
【図９】
0005825090.tif 000010
【図１０】
0005825090.tif 000011
【図１１】
0005825090.tif 000012
【図１２】
0005825090.tif 000013
【図１３】
0005825090.tif 000014
【図１４】
0005825090.tif 000015
【図１５】
0005825090.tif 000016
【図１６】
0005825090.tif 000017
【図１７】
0005825090.tif 000018
【図１８】
0005825090.tif 000019
【図１９】
0005825090.tif 000020
【図２０】
0005825090.tif 000021
【図２１】
0005825090.tif 000022
【図２２】
0005825090.tif 000023
【図２３】
0005825090.tif 000024
【図２４】
0005825090.tif 000025